(57)【要約】【課題】記憶日時が古い番組から順に自動的に消去する方式を用いて記憶した番組を保存用記憶装置に移動して記憶領域を確保する映像記憶装置及び映像記憶方法を提供する。【解決手段】実施形態の映像記憶装置は、第一の記憶手段と、第二の記憶手段と、処理手段と、を具備する。第一の記憶手段は、記憶容量の残りが規定量未満になった時点で記憶日時が古い番組から順に消去して次の番組を記憶する。第二の記憶手段は、消去指示があるまで記憶した番組を記憶する。処理手段は、前記第一の記憶手段から前記第二の記憶手段へ前記番組を移動する際に、前記第一の記憶手段が記憶している前記番組の番組データとこの番組データに関するメタデータの一部を前記第二の記憶手段に記憶させ、記憶された前記番組データから前記メタデータと異なる第二のメタデータを作成し、作成された前記第二のメタデータを用いて前記メタデータの一部を更新する。【選択図】図１
2016048816.tif 000002
【特許請求の範囲】
【請求項１】
記憶容量の残りが規定量未満になった時点で記憶日時が古い番組から順に消去して次の番組を記憶する第一の記憶手段と、
消去指示があるまで記憶した番組を記憶する第二の記憶手段と、
前記第一の記憶手段から前記第二の記憶手段へ前記番組を移動する際に、前記第一の記憶手段が記憶している前記番組の番組データとこの番組データに関するメタデータの一部を前記第二の記憶手段に記憶させ、記憶された前記番組データから前記メタデータと異なる第二のメタデータを作成し、作成された前記第二のメタデータを用いて前記メタデータの一部を更新する処理手段と、
を具備する映像記憶装置。
【請求項２】
前記アーカイブ処理部が前記第二のメタデータを作成するために前記番組の番組データを一時的に保持する第三の記憶手段をさらに具備する請求項１の映像記憶装置。
【請求項３】
前記第三の記憶手段は、前記第二の記憶手段と一体である請求項１または２の映像記憶装置。
【請求項４】
前記第三の記憶手段は、前記第一の記憶手段及び前記第二の記憶手段と一体である請求項１または２の映像記憶装置。
【請求項５】
前記処理手段は、前記第一の記憶手段から前記第二の記憶手段への前記番組のデータ及び前記メタデータの一部の移動するための第二の記憶手段への番組のデータの複製が完了した時点で、前記第一の記憶手段が保持する前記番組のデータを削除する請求項１ないし４のいずれかの映像記憶装置。
【請求項６】
前記番組を再生して表示する表示手段をさらに具備する請求項１ないし５のいずれかの映像記憶装置。
【請求項７】
記憶容量の残りが規定量未満になった時点で記憶日時が古い番組から順に消去して次の番組を記憶する第一の記憶方式で記憶した番組を消去指示があるまで記憶した番組を保持する第二の記憶方式で記憶する際に、
第一の記憶方式で記憶されている番組の番組データとこの番組データに関するメタデータの一部を一時的に保持し、
一時的に保持した番組データから第二のメタデータを作成し、
作成された第二のメタデータを用いてメタデータの一部を更新する
映像記憶方法。
【請求項８】
番組データとこの番組データに関するメタデータの一部を一時的に保持する記憶領域は、第一の記憶方式及び第二の記憶方式のいずれの記憶方式の記憶に用いる記憶領域と異なる請求項７の映像記憶方法。
【請求項９】
番組データとこの番組データに関するメタデータの一部を一時的に保持する記憶領域は、第二の記憶方式の記憶に用いる記憶領域と共用可能な記憶領域である請求項７の映像記憶方法。
【請求項１０】
番組データとこの番組データに関するメタデータの一部を一時的に保持する記憶領域は、第一の記憶方式及び第二の記憶方式のそれぞれの記憶方式の記憶に用いる記憶領域と共用可能な記憶領域である請求項７の映像記憶方法。
【請求項１１】
第一の記憶手段から第二の記憶手段への番組のデータとこの番組データに関するメタデータの一部の移動するための第二の記憶手段への番組のデータの複製が完了した時点で、第一の記憶手段が保持する番組のデータを削除する請求項７ないし１０のいずれかの映像記憶方法。
【発明の詳細な説明】
【技術分野】
【０００１】
この発明は、映像の記憶が可能な映像記憶装置及び映像記憶方法に関する。
【背景技術】
【０００２】
一定期間の間、全てのチャンネルのテレビジョン放送を録画（記憶）する自動録画機能（タイムシフトマシン機能）を有する映像記憶装置が普及している。
【先行技術文献】
【特許文献】
【０００３】
【特許文献１】特開２００６−０１９９９６号公報
【発明の概要】
【発明が解決しようとする課題】
【０００４】
タイムシフトマシン機能により記憶した番組は、記憶容量の残りが規定量未満になった時点で、記憶日時が古い番組から順に自動的に消去される。
【０００５】
従って、自動的に消去したくない番組は、保存用記憶装置に移動して、消去指示があるまで番組を保持するアーカイブ保存することが必要である。
【０００６】
しかしながら、アーカイブ保存された番組は、タイムシフトマシン機能により記憶した番組には用意されない拡張情報（メタデータ）を含む。このため、タイムシフトマシン機能を用いて記憶した番組をアーカイブ保存する場合、新たにメタデータを作成することが必要となる。
【０００７】
また、タイムシフトマシン機能により記憶した番組をアーカイブ保存する場合は、新たにメタデータを作成し、アーカイブ保存する番組の番組データとともに保存用記憶装置に移動する間、アーカイブ対象の番組を同記憶装置から消去することができない。さらに、タイムシフトマシン機能による記憶に用いる記憶装置からアーカイブ保存する番組の番組データを保存用記憶装置に移動した後に、アーカイブ保存した番組の番組データを保存用記憶装置から消去するための削除時間が必要となる。
【０００８】
なお、保存用記憶装置が映像記憶装置と分離可能な外部接続型記憶装置である場合は、その記憶装置を占有する（外部接続型の記憶装置の接続が必要な）時間の制約が生じる。このため、タイムシフトマシン機能による記憶に用いる記憶装置が外部接続型記憶装置である場合には、アーカイブ保存する番組の番組データを外部接続型記憶装置から消去することができない時間がいっそう、増大する。
【０００９】
このことから、アーカイブ保存する番組の数が多い場合や、タイムシフトマシン機能を用いて記憶した番組の自動的な消去の時間が迫っている場合は、タイムシフトマシン機能を用いる記憶に要求される記憶装置の記憶容量を十分に確保できなくなる恐れがある。
【００１０】
この発明の目的は、記憶装置の記憶容量の残りが規定量未満になった時点で、記憶日時が古い番組から順に自動的に消去する方式を用いて記憶した番組を保存用記憶装置に移動して記憶領域を確保する映像記憶装置及び映像記憶方法を提供することである。
【課題を解決するための手段】
【００１１】
実施形態の映像記憶装置は、第一の記憶手段と、第二の記憶手段と、処理手段と、を具備する。第一の記憶手段は、記憶容量の残りが規定量未満になった時点で記憶日時が古い番組から順に消去して次の番組を記憶する。第二の記憶手段は、消去指示があるまで記憶した番組を記憶する。処理手段は、前記第一の記憶手段から前記第二の記憶手段へ前記番組を移動する際に、前記第一の記憶手段が記憶している前記番組の番組データとこの番組データに関するメタデータの一部を前記第二の記憶手段に記憶させ、記憶された前記番組データから前記メタデータと異なる第二のメタデータを作成し、作成された前記第二のメタデータを用いて前記メタデータの一部を更新する。
【図面の簡単な説明】
【００１２】
【図１】実施形態に係る映像記憶装置（電子機器）の一例を示す。
【図２】実施形態に係る映像記憶装置が記憶した番組をアーカイブ保存するための管理情報の一例を示す。
【図３】実施形態に係る映像記憶装置が記憶した番組をアーカイブ保存する動作の一例をソフトウェア的に示す。
【図４】実施形態に係る映像記憶装置（電子機器）の一例を示す。
【図５】実施形態に係る映像記憶装置（電子機器）の一例を示す。
【発明を実施するための形態】
【００１３】
以下、図面を参照して、本発明の実施の一形態について説明する。
【００１４】
図１は、実施形態に係る映像記憶装置（電子機器）の一例を示す。なお、映像記憶装置は、表示部（ディスプレイ）を一体に有してもよい。また、表示部は、映像記憶装置と非接触で、映像記憶装置が無線方式により送信する番組を表示するものであってもよい。なお、以下に説明する要素や構成は、マイクロコンピュータ（処理装置、ＣＰＵ（Central Processing Unit））によりソフトウェアで実現するものであってもよいし、ハードウェアで実現するものであってもよい。また、以下の説明において、番組は、ストリームあるいはコンテンツもしくは情報と称する場合もあり、映像、映像及び映像に付属する音声あるいは音楽、もしくは音楽、等である。なお、映像は、動画と静止画あるいはテキスト（コード化された符号列で示される文字や記号等で表される情報）及びその任意の組み合わせを含む。また、映像記憶装置が記憶する番組の取得の方法は、番組供給元（放送局）が、例えば空間波（電波）を用いて送信する放送の受信、例えば番組配信元（配信事業者）が、例えば光ファイバ（ケーブル）やインターネット・プロトコル（Internet Protocol）通信網、等のネットワークを用いて配信する番組の取得、例えばネットワーク上の番組提供元（コンテンツサーバ）からのストリーミング映像（ストリーム）の取得及び再生や、ネットワーク機能を使用する映像転送技術、等、任意である。
【００１５】
図１が示す映像記憶装置１は、受信部１０１、録画処理部１０２、アーカイブ処理部１０３、番組解析部１０４、一時記憶装置１０５、システム制御部（主制御ブロック）１０６、操作入力部１０７、映像（video）出力部１０８及び音声／音響（audio）出力部１０９、等を含む。
【００１６】
映像記憶装置１はまた、録画処理部１０２及びインタフェース２０１ａを介し、自動録画機能（タイムシフトマシン機能）を用いた番組の記憶に用いる外部記憶装置（第一の記憶装置）２０１と接続する。第一の記憶装置（外部記憶装置）２０１は、タイムシフトマシン機能により、録画処理部１０２が出力する所定チャンネル数の全ての番組を、例えば８日分（１週間後の同一曜日まで）、記憶する。なお、タイムシフトマシン機能を用いて記憶した番組は、第一の記憶装置２０１の記憶容量の残りが規定量未満になった時点で、記憶日時が古い番組から順に自動的に消去される。
【００１７】
映像記憶装置１はさらに、録画処理部１０２、アーカイブ処理部１０３及びインタフェース３０１ａを介して、保存用記憶装置（第二の記憶装置）３０１と接続する。第二の記憶装置（保存用記憶装置）３０１は、第一の記憶装置２０１が保持する番組のうち、自動的な消去の対象から除外することが指示された番組を、消去指示がない限り消去することなく保存（記憶）する。なお、第一の記憶装置２０１が保持する番組を、自動的な消去の対象から除外して第二の記憶装置３０１に記憶（保存）することを、アーカイブ保存と称する。すなわち、第二の記憶装置３０１は、タイムシフトマシン機能により自動録画した番組にアーカイブ保存が指示された場合、そのアーカイブ処理した（アーカイブ化した）番組を、保持する。なお、第二の記憶装置３０１は、別の第二の記憶装置（３０１Ｘ）と置き換えることが可能である。すなわち、第二の記憶装置３０１は、同時に映像記憶装置１（アーカイブ処理部１０３及びインタフェース３０１ａ）と接続できる台数は１台であるが、記憶容量の増大のため、任意数の第二の記憶装置（３０１Ｘ）を利用可能である。この場合、第二の記憶装置３０１及び３０１Ｘは、同一の装置である必要はなく、インタフェース３０１ａを通じて、番組データ及び以下に説明するメタデータの書き込みと読み出しが可能であれば、製造メーカー、記憶容量、装置単体の転送速度、等は任意である。
【００１８】
受信部１０１は、アンテナＡＮＴと接続し、放送事業者が空間波により供給する番組を受信する。受信部１０１はまた、配信事業者がネットワークを介して供給する番組を受信する。受信部１０１は、受信した所定チャンネル数の全ての番組を、録画処理部１０２に送信する。
【００１９】
録画処理部１０２は、受信部１０１が受信した所定チャンネル数の全ての番組からＴＳ（トランスポートストリーム）を抽出（パーシャルＴＳ化）し、映像（video）データ、音声／音響（audio）データ及びＳＩ（Service Information）データに分離する。すなわち、録画処理部１０２は、受信部１０１が受信した番組を録画（記憶）用のデータに変換し、第一の記憶装置２０１に書き込む（記憶する）。
【００２０】
アーカイブ処理部１０３は、第一の記憶装置２０１が保持するタイムシフトマシン機能により記憶した番組のうち、ユーザーからアーカイブ保存が指示された番組を第一の記憶装置２０１から読み込み、第二の記憶装置３０１に書き込む（複製する）。アーカイブ処理部１０３はまた、一時記憶領域１０５に、第一の記憶装置２０１が保持するタイムシフトマシン機能を用いて記憶した番組のうち、ユーザーからアーカイブ保存が指示された番組を第一の記憶装置２０１から読み込み、複製する。すなわち、アーカイブ処理部１０３は、第一の記憶装置２０１が保持する番組のうち、ユーザーからアーカイブ保存が指示された番組を、一時記憶装置１０５及び第二の記憶装置３０１のそれぞれに、書き込む。なお、アーカイブ保存が指示された番組の一時記憶装置１０５及び第二の記憶装置３０１への書き込みタイミングは任意であり、両者が同時であってもよい。また、アーカイブ保存が指示された番組は、アーカイブ処理部１０３によるアーカイブ完了より前の番組データの一時記憶領域１０５及び第二の記憶装置３０１への書き込みが終了した時点で、第一の記憶領域２０１から消去される。すなわち、第一の記憶装置２０１が保持するアーカイブ対象の番組の番組データは、第二の記憶装置３０１及び一時記憶装置１０５に保持されているので、第一の記憶領域２０１が保持するアーカイブ対象の番組の番組データは、第一の記憶領域２０１から消去しても問題ない、これにより、第一の記憶装置２０１の記憶容量を確保することが容易となる。
【００２１】
また、アーカイブ処理部１０３は、番組解析部１０４に、アーカイブ保存が指示された番組の内容（番組データ）の解析及びアーカイブ保存のために要求のある保存用メタデータ（第二のメタデータ）の作成を指示する。すなわち、第一の記憶装置２０１が保持する番組データに付属するメタデータ（第一のメタデータ）は、タイムシフトマシン機能を用いて記憶する番組と１対１の関係を持つが、必要最小限のメタデータである。このため、アーカイブ保存する番組については、通常、第一のメタデータよりも詳細であって、拡張情報を含む第二のメタデータを、アーカイブ対象の番組データに付属させている。なお、アーカイブ保存のため、第一の記憶装置２０１から第二の記憶装置３０１（及び一時記憶装置１０５）に移動する番組データに付属するメタデータ（第一のメタデータ）は、その一部が移動されるのみであってもよい。すなわち、第二のメタデータを作成する際に必ず番組データから作成されるメタデータ、例えば番組の放送時間や放送局名（チャンネル情報）、等は、番組データが複製（移動）される毎に作成されることが、第一のメタデータが含む場合であっても、移動する必要がない。
【００２２】
番組解析部１０４による番組の内容の解析の指示のタイミングは、アーカイブ保存が指示されたアーカイブ対象の番組の一時記憶装置１０５及び第二の記憶装置３０１への書き込み指示と同時に、あるいは書き込みが終了するまでの間、もしくは書き込みが終了した以降の何れかのタイミングである。但し、一時記憶装置１０５が保持するアーカイブ対象の番組の解析は、操作入力部１０７を通じてユーザーから時間指定がある場合においては、その指定された時間に実行する。このことは、例えば第二の記憶装置３０１が２以上である場合に、映像記憶装置１から一時的に第二の記憶装置３０１を分離する（ユーザーが保存用記憶装置３０１を交換する）、等において有益である。
【００２３】
番組解析部１０４は、第一の記憶装置２０１に記憶した番組のうちのアーカイブ保存が指示された番組の番組データを解析し、アーカイブ保存のために必要な拡張情報を抽出してメタデータを作成し、アーカイブ処理部１０３に送信する。
【００２４】
メタデータは、例えばＣＭ（Commercial Message）と本編との切り替わりや、シーンの切り替わり、等を表すチャプター情報、あるいはランダムアクセステーブル、もしくは放送時間やチャンネル、等の種々の番組情報のうちの一部または全部である。また、メタデータは、アーカイブ保存する番組の番組データとともに利用するもので、アーカイブ対象の番組と１対１で関連付けられる。なお、ＣＭと本編との間の切り替わりは、例えば音声／音響データ（audio）中の無音区間、二ヶ国語放送とステレオ放送との切り替わり、等に基づいて検出する。また、シーンの切り替わりは、例えば所定時間より長い無音区間や画像情報の無い所定数のフレーム、等に基いて検出する。
【００２５】
なお、番組解析部１０４が解析する番組データは、上述した一時記憶装置１０５が保持する番組データである。これにより、第二の記憶装置３０１が２以上である場合に、映像記憶装置１から一時的に第二の記憶装置３０１を分離した場合であっても、アーカイブ対象の番組のアーカイブ処理を継続できる。また、アーカイブ処理により完成する第二のメタデータは、アーカイブ処理部１０３が保持する。この第二のメタデータは、一時的に映像記憶装置１から分離された第二の記憶装置３０１が再び映像記憶装置１に接続された場合に、第二の記憶装置３０１が保持するアーカイブ対象の番組に付属する第一のメタデータの更新（補完）に用いる。なお、第二の記憶装置３０１とアーカイブ対象の番組の対応関係は、図３により後段に説明するディスクＩＤと番組ＩＤとにより管理され、アーカイブ処理部１０３（主制御ブロック１０６）の制御により、同じ記憶装置が保持する同じ番組の第一のメタデータが第二のメタデータに、１対１の関係を維持して更新される。
【００２６】
一時記憶装置１０５には、上述したが、アーカイブ処理部１０３によりアーカイブ保存する番組の番組データが書き込まれる。なお、一時記憶装置１０５が保持するアーカイブ保存対象の番組の番組データは、番組解析部１０４による拡張情報の解析が終了した場合（メタデータの作成完了）や第二の記憶装置３０１と映像記憶装置１との接続が途切れた（第二の記憶装置３０１が映像記憶装置１から取り外された）場合には、そのまま、削除される。すなわち、一時記憶装置１０５は、タイムシフトマシン機能により記憶した番組のうち、ユーザーからアーカイブ保存が指示された番組を一時的に保持し、番組解析部１０４による番組データの解析のためのワークメモリとして機能する。従って、一時記憶装置１０５の記憶容量は、例えば数Ｇ（ギガ）バイト程度でもよく、例えばシステム制御部（主制御ブロック）１０６のファームウェアであってもよい。また、一時記憶装置１０５は、例えばＵＳＢ（Universal Serial Bus）規格のインタフェースやＨＤＭＩ（High-definition Digital Media Interface(登録商標)）規格のインタフェースに準拠し、映像記憶装置１から取り外し可能な外部接続型記憶装置（メモリ装置）であってもよい。
【００２７】
システム制御部（主制御ブロック）１０６は、上述の受信部１０１、録画処理部１０２、アーカイブ処理部１０３、番組解析部１０４、一時記憶装置１０５、あるいは以下に説明する操作入力部１０７、映像（video）出力部１０８及び音声／音響（audio）出力部１０９、等を制御する。主制御ブロック（システム制御部）１０６はまた、操作入力部１０７が受けつけるリモコン端末装置（リモートコントローラ）やタブレットＰＣ、等からの制御入力（操作指示）に対応する各種の制御コマンドを出力する。制御コマンドとは、例えばテレビ放送（番組）の録画、録画されたコンテンツ（番組）の再生、等を指示するコマンドである。
【００２８】
操作入力部１０７は、上述のアーカイブ保存の指示を受け付け、主制御ブロック１０６に、ユーザー指示に対応する制御コマンドを入力する。
【００２９】
映像（video）出力部１０８は、第一の記憶装置２０１あるいは第二の記憶装置３０１が保持する番組の映像データ（video）、もしくは受信部１０１が受信する番組の映像データ（video）をデコードし、映像再生出力（video）を出力する。映像再生出力（video）は、ディスプレイ１１０に、映像として表示される。
【００３０】
音声／音響（audio）出力部１０９は、第一の記憶装置２０１あるいは第二の記憶装置３０１が保持する番組の音声／音響データ（audio）、もしくは受信部１０１が受信する番組の音声／音響データ（audio）をデコードし、音声／音響再生出力（audio）を出力する。音声／音響再生出力（audio）は、スピーカ１１１にて、可聴音として再生される。
【００３１】
なお、ディスプレイ１１０及びスピーカ１１１あるいは少なくとも一方は、映像記憶装置１と非接触に構成され、映像または音声／音響を、例えば無線通信により取得するものであってもよい。また、ディスプレイ１１０及びスピーカ１１１は、映像記憶装置１と一体であってもよい。
【００３２】
図２に、タイムシフトマシン機能により第一の記憶装置に記憶した番組のうちのアーカイブ保存が指示された番組の番組データを解析し、アーカイブ保存のために必要な拡張情報を抽出し、メタデータを作成する方法の一例を、ソフトウェア的に示す。
【００３３】
ユーザーから第一の記憶装置２０１が保持するタイムシフトマシン機能により記憶した番組の１つ以上のアーカイブ保存が指示される［３００］と、第一の記憶装置２０１からアーカイブ保存の対象となる番組が第二の記憶装置３０１に書き込まれる［３０１］。
【００３４】
次に、第一の記憶装置２０１からアーカイブ保存の対象となる番組がアーカイブ用一時記憶装置１０５に書き込まれる［３０２］。なお、アーカイブ保存の対象となる番組の上述のアーカイブ用一時記憶装置１０５及び第二の記憶装置３０１への書き込みタイミングは、既に説明した通り任意であり、どちらが先であってもよいし、同時であってもよい。また、上述した所定のタイミングで、アーカイブ処理部１０３から番組解析部１０４に、一時記憶装置１０５が保持するアーカイブ対象の番組の番組データの解析を指示する。
【００３５】
一時記憶装置１０５及び第二の記憶装置３０１へのアーカイブ保存対象の番組の書き込み（複製）が終了すると、ユーザーに『アーカイブの完了』を通知する［３０３］。
【００３６】
また、番組解析部１０４は、一時記憶装置１０５が保持するアーカイブ対象番組の番組データから拡張情報を抽出（解析処理を実行）し、メタデータを作成する［３０４］。なお、番組解析部１０４によるアーカイブ対象の番組の番組データからの拡張情報の抽出とメタデータの作成及び作成したメタデータのアーカイブ処理部１０３への送信は、ユーザーへの『アーカイブの完了』の通知よりも先行してもよいし、並列であってもよい。
【００３７】
次に、第二の記憶装置３０１が映像記憶装置１に接続されていることをチェックする［３０５］−［３０６］。第二の記憶装置３０１が映像記憶装置１に接続されている場合［３０６−ＹＥＳ］、番組解析部１０４が作成したメタデータを用いて、第二の記憶装置３０１が保持するアーカイブ対象の番組のメタデータを更新する［３０７］。一方、第二の記憶装置３０１と映像記憶装置１との接続が解除されている（映像記憶装置１から第二の記憶装置３０１が取り外されている）場合［３０６−ＮＯ］、番組解析部１０４が作成したメタデータを破棄し、第二の記憶装置３０１が保持するアーカイブ対象の番組のデータを、第二の記憶装置３０１から消去する［３０７］。なお、番組解析部１０４によるメタデータの作成が途中である場合においても、そのデータは破棄する。また、映像記憶装置１に第二の記憶装置３０１が接続されていることの確認（［３０５］−［３０６］）は、番組解析部１０４によるメタデータの作成の完了後である必要はなく、所定のタイミングで確認処理を定期的に行い、都度、生成されたメタデータを用いてアーカイブ対象の番組のメタデータを更新してもよい。
【００３８】
なお、番組解析部１０４においてアーカイブ対象の番組のメタデータを作成している間は、第二の記憶装置３０１の動作を停止することが好ましい。すなわち、アーカイブ対象の番組データを第二の記憶装置３０１に保存した後、番組解析部１０４によるメタデータの作成が完了し、第二の記憶装置３０１が保持するメタデータを更新するまでは、第二の記憶装置３０１へのアクセスが必要ない。このため、番組解析部１０４によりメタデータを作成している間は、第二の記憶装置３０１を停止（スリープ）させることができる。これにより、消費電力を低減できる。
【００３９】
図３に、一時記憶装置内のファイル管理の状態を模式的に示す。
【００４０】
一時記憶装置１０５は、アーカイブ保存の対象として一時記憶装置１０５に書き込まれた番組を管理するため、図３に一例を示す形式のデータベース（ファイル管理テーブル）を持つ。なお、データベースの形式、書き込み方法及び読み出し方法は任意であり、既存のさまざまな形式のデータベースの形態を適用できる。
【００４１】
第二の記憶装置３０１は、上述したように、映像記憶装置１と同時に接続できる台数は１台であるが、別の記憶装置３０１Ｘと置き換えることにより、複数の記憶装置を、接続できる。このため、第二の記憶装置３０１または別の第二の記憶装置３０１Ｘは、映像記憶装置１との接続が解除された場合においても、映像記憶装置１と接続したことを示す履歴及び他の映像記憶装置と接続した場合に再生を禁止するための識別子により、映像記憶装置１から識別可能に、Ｄｉｓｋ（ディスク）ＩＤ（Identification）により管理される。また、アーカイブ保存の対象として記憶された番組は、番組ＩＤによって管理される。
【００４２】
すなわち、ＤｉｓｋＩＤと番組ＩＤにより、アーカイブ保存の対象として特定の第二の記憶装置３０１に記憶された番組を一意に示すことができる。これにより、任意の第二の記憶装置３０１に記憶された番組について、番組解析部１０４によるメタデータの作成の程度（拡張情報の抽出の程度）を管理できる。
【００４３】
なお、アーカイブ対象の番組の解析状態は、例えばハードウェアのリソースが確保できない、あるいは第二の記憶装置が一時的に取り外されている、等の理由で解析途中であることを示す「解析待ち」、現在解析中である（解析を実際に行っている）ことを示す「解析中」、解析が完了して、メタデータを生成済みである「解析完了」の何れかの状態を持つ。これにより、ユーザーが映像記憶装置１から第二の記憶装置３０１または別の記憶装置３０１Ｘを取り外し、任意のタイミングで再び、接続した場合においても、個々の第二の記憶装置３０１または３０１Ｘが保持するアーカイブ対象の番組を認識できる。
【００４４】
このように、タイムシフトマシン機能により第一の記憶装置に記憶した番組のうち第二の記憶装置へのアーカイブ保存が指示された番組について、その番組の番組データを解析し、アーカイブ保存のために必要な拡張情報を抽出してメタデータを作成する。これにより、タイムシフトマシン機能を用いて番組を記憶する第一の記憶装置の記憶容量を容易に確保できる。また、アーカイブ保存が指示された番組のアーカイブの間、アーカイブ対象の番組のデータが第一の記憶装置に残ることに起因して第一の記憶装置の記憶に利用可能な記憶容量が低減することが防止できる。すなわち、第一の記憶装置に保存されている動画像データ（番組）及び拡張情報を外部記憶装置である第二の記憶装置にアーカイブ保存する際に、第一の記憶装置に保存されている動画像データ及び拡張情報をアーカイブ対象の番組のアーカイブの完了と独立して削除できることにより、ユーザーの利便性を高めることができる。
【００４５】
すなわち、タイムシフトマシン機能を用いて記憶した番組を保存用記憶装置に移動する際には、もともと保存用記憶装置で録画した番組と比べて不足しているチャプター情報、等のメタデータを、アーカイブ保存の要求に基づいて補完することが要求される。反面、メタデータの補完のために必要となる番組データの解析処理及び解析処理により得られたメタデータを番組データとともに保存用記憶装置へ移動するための時間の間、アーカイブ保存の要求のあった番組データが残った状態となる。そして、タイムシフトマシン機能を用いる記憶装置の記憶容量が不足する可能性が残る。これに対して、アーカイブ保存が指示された番組のアーカイブの間、アーカイブ対象の番組のデータを、タイムシフトマシン機能を用いて番組を記憶する第一の記憶装置から異なる記憶領域に書き写して（複製して）アーカイブ処理を実行することで、タイムシフトマシン機能を用いて記憶した番組の自動的な消去の時間が迫っている場合であっても、タイムシフトマシン機能を用いる記憶に要求される記憶装置の記憶容量を確保できる。なお、メタデータを、アーカイブ保存の要求に基づいて補完することは、（新たに）追加作成したメタデータ（第二のメタデータ）が付属するアーカイブ化後の番組データにより第一の記憶装置から異なる記憶領域に書き写した（複製した）ままの状態の番組データを更新することである。すなわち、第一の記憶装置から異なる記憶領域に書き写した（複製した）ままの状態の番組データについても、ある程度の内容のメタデータ（第一のメタデータ）が付属する。しかしながら、アーカイブ保存のための第二の記憶装置で記憶する番組の番組データとして要求のあるメタデータ（第二のメタデータ）に比較すると、その内容は不十分である。このため、第一の記憶装置から異なる記憶領域に書き写した番組の番組データを用いて保存用のメタデータ（第二のメタデータ）を作成し、第一の記憶装置から書き写したままの状態の番組データに付属する第一のメタデータを更新する（書き換える）ことで、アーカイブ保存する番組データのメタデータの内容を、例えばユーザが録画予約して録画した保存用の番組データと同等にできる。
【００４６】
図４は、実施形態に係る映像記憶装置（電子機器）の別の一例を示す。なお、図１が示す映像記憶装置と同一もしくは類似した要素あるいは構成には、同じ符号を付して詳細な説明を省略する。
【００４７】
図４が示す映像記憶装置１は、受信部１０１、録画処理部１０２、アーカイブ処理部１０３、番組解析部１０４、システム制御部（主制御ブロック）１０６、操作入力部１０７、映像（video）出力部１０８及び音声／音響（audio）出力部１０９、等を含む。
【００４８】
また、映像記憶装置１は、タイムシフトマシン機能を用いた番組の記憶に用いる外部記憶装置（第一の記憶装置）２０１と接続する。
【００４９】
映像記憶装置１はさらに、録画処理部１０２、アーカイブ処理部１０３及びインタフェース３０１ａを介して、保存用記憶装置（第二の記憶装置）３０１と接続する。なお、第二の記憶装置３０１は、アーカイブに利用する一時記憶装置１０５を一体的に有する。すなわち、一時記憶装置１０５は、第二の記憶装置３０１において、第二の記憶装置３０１の記憶容量のうちの所定の記憶容量を、一時記憶装置１０５として利用するように、設定されている。また、第二の記憶装置３０１は、同時に映像記憶装置１（アーカイブ処理部１０３及びインタフェース３０１ａ）と接続できる台数は１台であるが、任意数の第二の記憶装置（３０１Ｘ）と置き換えて利用することが可能である。なお、一時記憶装置１０５についても第二の記憶装置３０１と一体に交換されることから、第二の記憶装置３０１Ｘが接続されている場合には、対応する一時記憶装置を一時記憶装置１０５Ｘと称する。
【００５０】
このように、一時記憶装置１０５を第二の記憶装置３０１と一体化することにより、映像記憶装置１において必要となる記憶装置の容量を低減できる。すなわち、映像記憶装置１に要求される記憶装置の容量は、主制御ブロック（システム制御部）１０６の動作に必要な容量でよい。
【００５１】
なお、アーカイブ保存が指示された番組は、アーカイブ処理部１０３によるアーカイブ完了より前の番組データの第二の記憶装置３０１への書き込みが終了した時点で、第一の記憶領域２０１から消去される。すなわち、第一の記憶装置２０１が保持するアーカイブ対象の番組の番組データは、第二の記憶装置３０１に保持されているので、第一の記憶領域２０１が保持するアーカイブ対象の番組の番組データは、第一の記憶領域２０１から消去しても問題ない、これにより、第一の記憶装置２０１の記憶容量を確保することが容易となる。また、一時記憶装置１０５を第二の記憶装置３０１と一体化したことによりアーカイブ対象として第一の記憶装置２０１から移動（複製）した番組を、、ＤｉｓｋＩＤと番組ＩＤとにより、映像記憶装置１から分離した状態で管理できる。このことは、第二の記憶装置３０１と映像記録装置１との接続が解消した（第二の記憶装置が映像記憶装置から取り外された）場合において、メタデータを作成するために、第一の記憶装置２０１にアーカイブ保存対象の番組データを残す必要性を不要とする。すなわち、第一の記憶装置２０１が保持するアーカイブ対象の番組データは、第二の記憶装置３０１への書き込み（複製）が完了した時点で消去可能となる。
【００５２】
図４が示す構成では、一時記憶装置１０５と第二の記憶装置３０１とが同一の記憶装置であるから、アーカーブ対象の番組の番組データは、第二の記憶領域３０１（３０１Ｘ）にのみ書き込みされる。すなわち、一時記憶装置１０５へのアーカイブ対象の番組の番組データの書き込みは、省略できる。これにより、アーカイブ対象の番組の番組データを、第一の記憶装置２０１から読み出すために必要となる時間は、図１が示す映像記憶装置に比較して、実質的に１／２程度に低減できる。なお、番組解析部１０４による番組の内容の解析は、第二の記憶装置３０１（３０１Ｘ）が保持する番組データを参照すればよく、一時記憶装置１０５（１０５Ｘ）の記憶容量は、番組解析部１０４が抽出する１つの番組の拡張情報を保持できる程度の容量でよい。但し、『アーカイブの完了』の通知は、全ての拡張情報の抽出とメタデータの作成が終了した以降であることが好ましい。すなわち、アーカイブ中であることを、ユーザーに報知することで、アーカイブ対象の番組のアーカイブ化の途中で、ユーザーが不用意に、第二の記憶装置３０１及び一時記憶装置１０５を映像記憶装置から取り外すことを防止できる。また、番組解析部１０４によるアーカイブ対象の番組の解析は、一時記憶装置１０５及び第二の記憶装置３０１が映像記憶装置１と接続している間のみ、実行される。
【００５３】
図５は、実施形態に係る映像記憶装置（電子機器）の別の一例を示す。なお、図１または図４が示す映像記憶装置と同一もしくは類似した要素あるいは構成には、同じ符号を付して詳細な説明を省略する。
【００５４】
図５が示す映像記憶装置１は、受信部１０１、録画処理部１０２、アーカイブ処理部１０３、番組解析部１０４、システム制御部（主制御ブロック）１０６、操作入力部１０７、映像（video）出力部１０８及び音声／音響（audio）出力部１０９、等を含む。
【００５５】
また、映像記憶装置１は、タイムシフトマシン機能を用いた番組の記憶に用いる外部記憶装置（第一の記憶装置）２０１と接続する。なお、第一の記憶装置（外部記憶装置）２０１は、保存用記憶装置（第二の記憶装置）３０１と共通化されている。従い、一時記憶装置１０５も、第一の記憶装置２０１と共通である。
【００５６】
このように、一時記憶装置１０５及び第二の記憶装置３０１を、第一の記憶装置２０１と一体化することにより、映像記憶装置１において必要となる記憶装置の容量を低減できる。すなわち、映像記憶装置１に要求される記憶装置の容量は、主制御ブロック（システム制御部）１０６の動作に必要な容量でよい。
【００５７】
なお、第一の記憶領域２０１が保持するアーカイブ保存が指示された番組の番組データは、アーカイブ処理部１０３によるアーカイブ完了より前の番組データの第一の記憶装置２０１と一体化されている第二の記憶装置３０１への書き込みが終了した時点で、第一の記憶領域２０１から消去される。すなわち、第一の記憶装置２０１が保持するアーカイブ対象の番組の番組データは、第二の記憶装置３０１に保持されているので、第一の記憶領域２０１が保持するアーカイブ対象の番組の番組データは、第一の記憶領域２０１から消去しても問題ない、これにより、第一の記憶装置２０１の記憶容量を確保することが容易となる。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
１…映像記憶装置、１０１…受信部、１０２…録画処理部、１０３…アーカイブ処理部、１０４…番組解析部、１０５…一時記憶装置、１０６…システム制御部（主制御ブロック）、１０７…操作入力部、１０８…映像（video）出力部、１０９…音声／音響（audio）出力部、１１０…ディスプレイ、１１１…スピーカ、２０１…第一の記憶装置、３０１…第二の記憶装置。
【図１】
2016048816.tif 000003
【図２】
2016048816.tif 000004
【図３】
2016048816.tif 000005
【図４】
2016048816.tif 000006
【図５】
2016048816.tif 000007